(57)【要約】  容器（１００）は、本体部分（１０２）と、上端部分（１０４）と、キャップ部分（１０６）とを含む。この本体部分と、上端部分と、キャップ部分とは、一体部品として成形されるとよい。キャップ部分（１０６）は、ヒンジ（１０８）で本体部分に取り付けられてもよい。本体部分は、使用者が側壁を握り押して容器（１００）内に保存されている製品を注出することができる側壁を有していてもよい。容器はバルブを含んでもよい。バルブは、内容物を注出できる開口部を含んでいてもよい。バルブは、保持特徴部、（バルブ）保持リング、接着剤、および／または融着を用いて取り付けることができる。この保持リングは、保持特徴部と係合することができる。バルブが容器（１００）に組み立てられた後、容器に製品が満たされ、下端部分がヒートシールを用いて閉鎖され得る。【選択図】図１
2016515985.tif 000002
【特許請求の範囲】
【請求項１】
製品を注出するための容器であって、
上端部分と、
前記上端部分から離れる方向に延びる本体部分と、
前記本体部分と前記上端部分のいずれか一方にヒンジで取り付けられたキャップ部分と、
バルブと、
を備える容器。
【請求項２】
前記本体部分と、前記上端部分と、前記キャップ部分とが一体部品である、請求項１に記載の容器。
【請求項３】
前記上端部分が開口部を含み、前記バルブが前記開口部の上方に配置されている、請求項１に記載の容器。
【請求項４】
前記バルブを保持するための保持特徴部を含む、請求項１に記載の容器。
【請求項５】
前記保持特徴部が突起部である、請求項４に記載の容器。
【請求項６】
閉鎖された下端部分を含む、請求項１に記載の容器。
【請求項７】
前記下端部分がヒートシールによって閉鎖されている、請求項６に記載の容器。
【請求項８】
前記本体部分が側壁を含み、当該容器が下端部分を含み、前記側壁が前記上端部分の近くで第１の厚さを有し、前記側壁が前記下端部分の近くで第２の厚さを有し、前記第１の厚さが前記第２の厚さより大きい、請求項１に記載の容器。
【請求項９】
前記本体部分が側壁を含み、当該容器が下端部分を含み、前記側壁が前記上端部分近くから前記下端部分に向かって先細りとなる厚さを有する、請求項１に記載の容器。
【請求項１０】
前記バルブを当該容器上に保持するバルブ保持リングを含む、請求項２に記載の容器。
【請求項１１】
前記バルブ保持リングが前記バルブと分離している、請求項１０に記載の容器。
【請求項１２】
前記バルブが前記バルブ保持リング上に成形されている、請求項１０に記載の容器。
【請求項１３】
前記バルブ保持リングと係合する保持特徴部を含む、請求項１０に記載の容器。
【請求項１４】
前記本体部分と、前記上端部分と、前記キャップ部分とがポリプロピレンから作られている、請求項１に記載の容器。
【請求項１５】
製品を注出するための容器を製造する方法であって、
上端部分と、本体部分と、キャップ部分とを含む容器であり、前記本体部分が前記上端部分から離れる方向に延び、前記キャップ部分が前記本体部分と前記上端部分のいずれか一方にヒンジで取り付けられている容器を用意するステップと、
前記容器にバルブを挿入するステップと、
前記容器を前記製品で満たすステップと、
下端部分を閉鎖するステップと、
を含む方法。
【請求項１６】
前記下端部分を閉鎖するステップがヒートシールによって行われる、請求項１５に記載の方法。
【請求項１７】
前記本体部分と、前記上端部分と、前記キャップ部分とが一体部品である、請求項１５に記載の方法。
【請求項１８】
バルブ保持リングを前記容器に挿入するステップをさらに備える、請求項１５に記載の方法。
【請求項１９】
前記バルブが前記バルブ保持リング上に成形される、請求項１８に記載の方法。
【請求項２０】
前記バルブが前記バルブ保持リングとは別個に成形される、請求項１８に記載の方法。
【請求項２１】
製品を注出するための容器であって、
上端部分と、
前記上端部分から離れる方向に延びる本体部分と、
前記上端部分に取り付けられているベース部分と、
前記上端部分に接続されており、バルブを含むプラグシールと、
を備える容器。
【請求項２２】
前記プラグシールが保持リングを含む、請求項２１に記載の容器。
【請求項２３】
キャップ部分がヒンジ部分で前記ベース部分に接続される、請求項２１に記載の容器。
【発明の詳細な説明】
【発明の背景】
【０００１】
[0001]容器は材料を注出するために用いる場合がある。例えば、練り歯磨き粉チューブ容器は、練り歯磨き粉を注出するために使用することができる。ある種の練り歯磨き粉容器は３つの別個の構成要素を用いて製造される。例えば、その練り歯磨き粉容器は、チューブ部分と、上部部分と、キャップとを含む。さらに、これらの部品は別個に製造され、その後まとめて組み立てられる。例えば、チューブ部分が製造され、それから成形などにより上部部分が製造され、その後、その上部部分が超音波溶接などでチューブ部分に取り付けられる。最後に、キャップが成形されて、ねじ式などによってその上部部分に取り付けられる。この工程は、別個に形成され、その後いくつかのステップにおいて組み立てられるいくつかの別個の部品に関与している。そこで、部品がより少なく、製造費のより低い容器が必要とされている。
【発明の概要】
【０００２】
[0002]本発明は、本体部分と、上端部分と、キャップ部分とを含む容器を提供するものである。一実施形態において、本体部分はチューブ部分であり得る。本体部分と、上端部分と、キャップ部分とは、一体部品として成形されてもよい。キャップ部分はヒンジで本体部分に取り付けることができる。ヒンジはリビングヒンジであってもよい。
【０００３】
[0003]本体部分は側壁を有するものとすることができる。側壁は、使用者がその側壁を握り押して、容器内に保存されている製品を注出することが可能な厚さを有するものとするとよい。
【０００４】
[0004]上端部分は、容器の内容物を注出するために使用することができる。上端部分は開口部を含み得る。容器はバルブを含んでもよい。バルブは開口部を密閉することができる。バルブは、製品を注出できるようにする開口部を含んでいてもよい。バルブは容器に取り付けることができる。一実施形態において、バルブは上端部分に取り付けられてもよい。
【０００５】
[0005]バルブは、保持特徴部を用いて取り付けることができる。その他の実施形態において、バルブは接着剤、または超音波溶接などの融着を用いて取り付けられてもよい。
【０００６】
[0006]容器はバルブ保持リングを含んでもよい。この保持リングは、保持特徴部と係わることができる。バルブは保持リングと上端部分との間に配置することができる。一実施形態において、保持リングはバルブと分離した部品である。他の実施形態において、バルブは保持リング上に成形されてもよい。
【０００７】
[0007]バルブが上端部分に組み付けられた後、容器には液体飲料エンハンサなどの製品が満たされる。次いで、下端部分が閉鎖される。一実施形態において、下端部分はヒートシールを用いて閉鎖されてもよい。ヒートシールは、側壁の一方の部分を側壁の他方の部分に押し当てて密閉することができる。ヒートシールは、さまざまな形状を有するように密閉され縁装飾されてもよい。
【図面の簡単な説明】
【０００８】
【図１】容器の斜視図である。
【図２】図１の容器の側面図である。
【図３】図２の３−３線に沿っての断面図である。
【図４】図３の端部分の拡大図である。
【図５】バルブの第１の実施形態による、図４に類似した断面図である。
【図６】バルブの第２の実施形態の斜視図である。
【図７】図６の断面図である。
【図８】バルブ保持リングの断面図である。
【図９】容器上に組み立てられたバルブおよび保持リングの断面図である。
【図１０】図９のバルブの開放位置における断面図である。
【図１１】バルブの第３の実施形態の斜視図である。
【図１２】図１１の断面図である。
【図１３】容器上に組み立てられたバルブおよび保持リングの断面図である。
【図１４】閉鎖した端部分を有する容器の正面図である。
【図１５】閉鎖した端部分を有する容器の側面図である。
【図１６】ヒンジの第１の実施形態を示す、容器の背面図である。
【図１７】ヒンジの第２の実施形態を示す、容器の背面図である。
【図１８】閉鎖位置にあるキャップ部分の断面図である。
【図１９】容器の他の実施形態の断面図である。
【図２０】容器の他の実施形態の断面図である。
【図２１】図２０からのベース部分およびキャップ部分の断面図である。
【図２２】プラグシールの上面斜視図である。
【図２３】プラグシールの底面斜視図である。
【図２４】プラグシールの断面図である。
【図２５】容器の他の実施形態の断面図である。
【図２６】容器の他の実施形態の断面図である。
【図２７】容器の他の実施形態の断面図である。
【図２８】図２７からのベース部分およびキャップ部分の断面図である。
【図２９】容器の他の実施形態の断面図である。
【図３０】容器の他の実施形態の断面図である。
【図３１】容器の他の実施形態の断面図である。
【発明を実施するための形態】
【０００９】
[0039]図１および図２を参照すると、容器１００は、本体部分１０２と、上端部分１０４と、キャップ部分１０６とを含んでいる。この本体部分１０２と、上端部分１０４と、キャップ部分１０６とは、一体部品として成形されるとよい。例えば、本体部分１０２と、上端部分１０４と、キャップ部分１０６とは、射出成形機で成形することができる。一実施形態において、本体部分と、上端部分と、キャップ部分とは、ポリプロピレンから作られるとよい。その他の実施形態において、本体部分と、上端部分と、キャップ部分とは、低密度ポリエチレン、中密度ポリエチレンまたは高密度ポリエチレンから作られてもよい。一実施形態において、本体部分はチューブ部分とすることができる。
【００１０】
[0040]キャップ部分１０６はヒンジ１０８で本体部分１０２に取り付けられる。ヒンジ１０８はリビングヒンジとすることができる。一実施形態において、ヒンジは図１６に示されるような３部分型のヒンジとすることができる。他の実施形態において、ヒンジは図１７に示されるようなバタフライ型のヒンジであってもよい。
【００１１】
[0041]図３を参照すると、本体部分１０２は側壁を有している。一実施形態において、側壁１１０は、使用者がその側壁を握り押して容器内に保存されている製品を注出することが可能な厚さ１１２を有する。一実施形態において、バルブを作動させて液体の注出をもたらすために、側壁１１０は、約３ポンド〜約１５ポンドの範囲の力を加えることで撓まされ得る。
【００１２】
[0042]一実施形態において、側壁１１０は上端部分１０４近くでより厚く、下端部分１１４近くでより薄くなっている。一実施形態において、位置１１６における厚さは０．０３インチ（０．０７６ｃｍ）とすることができ、位置１１８における厚さは０．０２５インチ（０．０６４ｃｍ）とすることができ、位置１２０における厚さは０．０１４インチ（０．０３６ｃｍ）とすることができる。
【００１３】
[0043]一実施形態において、側壁の厚さは、上端部分１０４から下端部分１１４に向かって先細りであってもよい。一実施形態において、本体部分の外面１２２は、垂直軸に対して約１／３２（０．０３１）度から約１／４（０．２５）度までの範囲の角度１２４を有していてもよい。一例において、角度１２４は０．１９５度であり得る。一実施形態において、本体部分の内面１２６は、垂直軸に対して約１／３２（０．０３１）度から約１／４（０．２５）度までの範囲の角度１２８を有していてもよい。一例において、角度１２８は１／１６（０．０６２５）度であり得る。この先細りは、本体容器を鋳型から取り外すのを容易にすることができる。
【００１４】
[0044]本体部分は位置特徴部を含むことができる。一実施形態において、この位置特徴部は、図３に示されるようにノッチ（切欠き）１２９とすることができる。このノッチは、容器を、ラベルを受け止めるための適切な位置に配置させることに用いられる。組立装置は、容器を特定の位置に配置するためにノッチと係合する部分を含み得る。ラベルは、容器が適切な位置に保持されている間に、その容器に配置するとよい。容器を特定の位置に保持することで、容器に対して適切な方向にラベルを配置することができる。この適切な方向は、容器が対称的でない場合、またはヒンジもしくは他の特徴部が特定の位置にある場合など、容器が特定の方向を持っている場合に有益であろう。例えば、一実施形態において、図１４および図１５のように、容器は対称的でなく、ヒンジが特定の位置にある。
【００１５】
[0045]その他の実施形態において、他の位置特徴部を用いることができる。例えば、本体部分が、タブなどの上方に延びる部分を含むことも可能である。そのタブは組立装置の一部分と係合させることができる。
【００１６】
[0046]他の実施形態において、組立装置は、ヒンジまたはリフトタブなど、容器の特徴部の位置を感知する光センサまたは変位センサなどのセンサを用いることもできる。
【００１７】
[0047]上端部分１０４は、容器の内容物を注出するために使用することができる。その上端部分１０４は開口部１３０を含み得る。図５を参照すると、容器１００はバルブ１３２を含んでいる。バルブ１３２は開口部１３０を密閉するとともに、容器から内容物を注出できるようにする。
【００１８】
[0048]図４および図５を参照すると、その上端部分１０４は保持特徴部を含んでいる。保持特徴部１３４は、バルブ１３２を上端部分１０４上に保持するために用いることができる。一実施形態において、保持特徴部１３４は突起部１３６であってもよい。一実施形態において、突起部１３６は本体部分の中心に向かって内側に延びている。上端部分は、１つ、２つ、３つ、４つ、またはそれ以上の突起部を含むことができる。一実施形態において、この上端部分は４つの突起部１３６を含んでいる。保持特徴部１３４は、バルブ１３２を容器上に保持するために、バルブ１３２と係合する。
【００１９】
[0049]一実施形態において、保持特徴部１３４は、上端部分の内面に配置することができる。例えば、図４を参照すれば、保持特徴部は壁１３８に配置され得る。壁１３８は下方に延びていてもよい。
【００２０】
[0050]図４を参照すると、壁１３８はノッチ１４０を含んでいる。一実施形態において、ノッチはＵ字形をしている。その他の実施形態において、ノッチは、Ｖ字型、正方形、または長方形など、他の形状であってもよい。壁１３８は、１つ、２つ、３つ、４つ、またはそれ以上のノッチを有することができる。一実施形態において、この壁１３８は４つのノッチ１４０を有している。一実施形態において、ノッチ１４０は、第１の突起部１３６と第２の突起部１３６との間に配置される。３つ以上の突起部１３６を含む実施形態においては、ノッチ１４０はそれぞれ隣接する一対の突起部の間に配置することができる。例えば、４つの突起部１３６を含む実施形態においては、第１のノッチ１４０は第１の突起部と第２の突起部との間に配置することができ、第２のノッチは第２の突起部と第３の突起部との間に配置することができ、第３のノッチは第３の突起部と第４の突起部との間に配置することができ、第４のノッチは第４の突起部と第１の突起部との間に配置することができる。
【００２１】
[0051]ノッチ１４０はバルブの挿入を容易にする。バルブを挿入できるように、ノッチ１４０が保持特徴部１３４の撓みを可能にする。それに加え、ノッチは、容器を成形機から取り除くことを容易にする。
【００２２】
[0052]図５を参照すると、バルブ１３２は可撓性材料から作られ得る。一実施形態において、バルブはシリコーンから作られるとよい。その他の実施形態において、バルブは熱可塑性エラストマーから作られてもよい。バルブ１３２は内容物を注出できるようにする開口部１４２を含むものとすることができる。一実施形態において、開口部１４２はスリット１４４である。第２の実施形態においては、開口部は２つのスリットである。第１のスリットは第２のスリットとある角度で交差していてもよい。一実施形態において、その角度は９０度とすることができる。その他の実施形態において、その角度は１度から８９度までの間であってもよい。
【００２３】
[0053]バルブ１３２は容器に取り付けることができる。図５を参照すると、一実施形態において、バルブ１３２は上端部分１０４に取り付けられいる。バルブ１３２は保持特徴部１３４を用いて取り付けられてもよい。その他の実施形態において、バルブは接着剤を用いて、または（超音波溶接などの）融着、もしくは（加熱圧着または非加熱圧着などによる）容器の変形を用いて取り付けられてもよい。他の実施形態において、バルブ１３２は、以下に述べるような保持リングと共に用いられるとよい。
【００２４】
[0054]図６および図７を参照すると、バルブの第２の実施形態が示されている。バルブ１４６は開口部１４８を含んでいる。開口部１４８は、上述のバルブ１３２用の開口部のいずれか１つであってもよい。図７を参照すると、バルブ１４６は、外側部分１５０と、中間部分１５２と、内側部分１５４とを含んでいる。容器の外部に対し圧力がかけられた場合、容器の内部の圧力が、図１０に示されるように、中間部分１５２および内側部分１５４に外向きの撓みを引き起こし、内容物が開口部１４８から吐出される。圧力が解除されると、中間部分１５２および内側部分１５４は図９に示される位置に戻る。バルブ１４６は、保持特徴部１３４を用いて取り付けられてもよい。その他の実施形態において、バルブは接着剤を用いて、または（超音波溶接などの）融着、もしくは（加熱圧着または非加熱圧着などによる）容器の変形を用いて取り付けられてもよい。他の実施形態において、バルブ１４６は、以下に述べるような保持リング１５８と共に用いられるとよい。
【００２５】
[0055]容器１００はバルブ保持リングを含み得る。図８および図９を参照すると、その保持リング１５８は保持特徴部１３４と係合することができる。バルブ１４６は、保持リング１５８と上端部分１０４との間に配置することができる。一実施形態において、保持リング１５８はバルブ１４６とは個々独立の部品である。保持リング１５８は、バルブ１４６より硬い材料で作られるとよい。例えば、バルブはシリコーン製とし、保持リングはポリプロピレン製とすることができる。その他の実施形態において、バルブは熱可塑性エラストマーから作られてもよい。その他の実施形態において、そのリングはナイロンまたはポリアミドから作られてもよい。一実施形態において、バルブ１４６は容器内に挿入され、その後その保持リング１５８が容器内に挿入されてもよい。そこで、保持リング１５８を保持特徴部１３４と係合してもよい。他の実施形態において、図１１および図１２に示されるように、バルブが保持リング上に成形されてもよい。
【００２６】
[0056]図１１および図１２を参照すると、バルブの第３の実施形態が示されている。バルブ１６０は保持リング１６２上に成形されている。保持リング１６２は、バルブ１６０より硬い材料から作られてもよい。例えば、バルブはシリコーン製とし、保持リングはポリプロピレン製とすることができる。その他の実施形態において、バルブは熱可塑性エラストマーから作られてもよい。その他の実施形態において、そのリングはナイロンまたはポリアミドから作られてもよい。図１３を参照すると、バルブ１６０は、保持特徴部１３４を用いて取り付けられている。一実施形態において、バルブ１６０および保持リング１６２は容器内に挿入されてもよい。そこで、保持リング１６２は保持特徴部１３４と係合してもよい。図１２を参照すると、バルブ１６０は開口部１６４を含んでいる。開口部１６４は、上述のバルブ１３２用の開口部のいずれか１つであってもよい。バルブ１６０は、外側部分１６６と、中間部分１６８と、内側部分１７０とを含み得る。容器の外部に対して圧力がかけられた場合、容器の内部の圧力が、中間部分１６８および内側部分１７０に外向きの撓みを引き起こし、製品が開口部１６４から吐出される。圧力が解除されると、中間部分１６８および内側部分１７０は、図１２に示される位置に戻る。
【００２７】
[0057]図１２を参照すると、保持リング１６２はバルブ１６０より大きい。例えば、保持リング１６２の外周１７２は、バルブ１６０の外周１７４より大きい。したがって、保持リング１６２用に大きな外周１７２を必要とする状況において、外周１７２の寸法を大きくすることができるが、バルブ１６０の寸法は同じままとすることができる。そのため、製造者は、バルブ１６０の寸法を変更する必要なしに、いくつかのさまざまな寸法およびタイプの容器に適合するように、保持リングの外周１７２を大きくしたり小さくしたりすることができる。さらに、製造者は、バルブ１６０の寸法を変更する必要なしに、いくつかのさまざまな寸法およびタイプの容器に適合するように、保持リング１６２の厚さ１７６を増減させることができる。
【００２８】
[0058]バルブの外側部分１６６の外周１７２は、バルブ１６０の動作部分の寸法を変更する必要なしに、いくつかのさまざまな寸法およびタイプの容器に適合するように大きくしたり小さくしたりすることができる。一実施形態において、バルブ１６０の動作部分は中間部分１６８および内側部分１７０である。例えば、図１３を参照すると、図１２と比較して、中間部分１６８および内側部分１７０の寸法を変更することなく、外側部分１６６の外周１７４が小さくされている。
【００２９】
[0059]他の実施形態において、バルブの動作部分の寸法を増減させることもできる。例えば、より粘性の高い流体に適応させるためには、バルブ１６０の中間部分１６８および内側部分１７０の寸法を大きくする必要があるだろう。さらに、保持リング１６２の内側開口部１７８の寸法は、バルブの中間部分１６８および内側部分１７０の増減に適応させるために増減させることが可能であるが、保持リング１６２の外周１７２は同じままでもよい。したがって、製造者が、容器内の流体の粘性を変更することを決定した場合、製造者はバルブの中間部分１６８および内側部分１７０の寸法を増減させることが可能であるが、保持リング１６２の外周１７２は変わらないため、製造者は同じ容器を用いることができる。場合によっては、バルブの外側部分１６６の寸法は、大きさが変わることもあり得る。
【００３０】
[0060]バルブが上端部分１０４に組み付けられた後、容器１００には製品が満たされる。製品は液体飲料エンハンサとすることができる。その他の実施形態において、製品は甘味料または栄養補助食品であってもよい。製品は、室温で約１センチポイズ〜約２５０センチポイズの第１の範囲、室温で約１センチポイズ〜約９０センチポイズの第２の範囲、および室温で約１センチポイズ〜約５０センチポイズの第３の範囲の粘性を有し得る。
【００３１】
[0061]容器に製品が満たされた後、下端部分１１４が閉鎖される。図１４および図１５を参照すると、一実施形態において、下端部分１１４はヒートシール１８２を用いて閉鎖され得る。ヒートシール１８２は、側壁１１０の一方の部分を側壁１１０の他方の部分に押し当てて密閉することができる。ヒートシール１８２は、さまざまな形状を有するように密閉され縁装飾されてもよい。例えば、ヒートシールは、直線状に、波形に、またはつり下げ用の開口部、商標の形状、商標の開口部、装飾、もしくは飾りひも用の開口部を付けて縁装飾してもよい。その他の実施形態において、下端部分１１４は、接着剤によって、または（超音波溶接などの）融着、もしくは（加熱圧着または非加熱圧着などによる）容器の変形によって下端部分１１４に取り付けられ得る栓またはキャップで閉鎖されてもよい。
【００３２】
[0062]一実施形態において、容器は製品情報を有していてもよい。図１４および図１５を参照すると、一実施形態において、製品情報はラベル１８４とすることができる。ラベル１８４は接着剤で貼り付けてもよい。その他の実施形態において、ラベルは、シュリンクラップを適用してもよい。
【００３３】
[0063]その他の実施形態において、製品情報は他の技術を用いて容器に配置させてもよい。例えば、製品情報を容器上に印刷してもよい。別の例では、製品情報を容器上にエンボス加工してもよい。第３の例では、製品情報はインモールド式ラベル付けを適用することもできる。
【００３４】
[0064]一実施形態において、容器は開封明示特徴部を含むことができる。一例において、その開封明示特徴部はバンド１８６とすることができる。バンド１８６は本体の部分とキャップの部分とにわたって付着されるとよい。もしある人がバンドを破ってキャップを開けたとしたら、後の人は容器が前に開封されたことを知るであろう。一実施形態において、バンドは熱収縮が適用されてもよい。その他の実施形態において、バンドは接着剤で貼り付けられてもよい。
【００３５】
[0065]他の実施形態において、ラベルがキャップの部分にわたって延びていてもよく、ラベルが開封明示特徴部を提供することもできる。この場合、バンドは必要ないであろう。
【００３６】
[0066]図１６は、ヒンジの第１の実施形態を示している。ヒンジ１０８は３部分型のヒンジである。ヒンジ１０８は、中央部分２７４と、第１の外側部分２７５と、第２の外側部分２７６とを含んでいる。中央部分２７４はヒンジ２７７を含んでいる。第１の外側部分２７５は、上部ヒンジ２７８と下部ヒンジ２７９とを含んでいる。第２の外側部分２７６は、上部ヒンジ２８０と下部ヒンジ２８１とを含んでいる。中央部分２７４と第１の外側部分２７５とは、第１の間隙２８２をもって隔てられている。中央部分２７４と第２の外側部分２７６とは、第２の間隙２８３をもって隔てられている。キャップ部分が開かれると、上部ヒンジ２７８、２８０と、下部ヒンジ２７９、２８１と、ヒンジ２７７とが屈曲する。さらに、キャップ部分が開かれると、外側部分２７５、２７６が屈曲する。
【００３７】
[0067]図１７は、ヒンジ第２の実施形態を示している。ヒンジ２８４はバタフライ型ヒンジである。ヒンジ２８４は、中央部分２８６と、第１の外側部分２８８と、第２の外側部分２９０とを含んでいる。中央部分２８６はヒンジ２９１を含んでいる。第１の外側部分２８８は、上部ヒンジ２９３と下部ヒンジ２９４とを含んでいる。第２の外側部分２９０は、上部ヒンジ２９５と下部ヒンジ２９６とを含んでいる。キャップ部分が開かれると、上部ヒンジ２９３、２９５と、下部ヒンジ２９４、２９６と、ヒンジ２９１とが屈曲する。さらに、キャップ部分が開かれると、外側部分２８８、２９０が屈曲する。
【００３８】
[0068]その他の実施形態において、容器は、単一部分型のヒンジ、または２部分型のヒンジなど、他のヒンジを有してもよい。
【００３９】
[0069]図１を参照すると、キャップ１０６は環状壁２９７を含んでいる。環状壁２９７はリブ２９８を含んでもよい。キャップ１０６も突出部２９９を含んでもよい。図１８を参照すると、キャップ１０６が閉じられると、キャップ１０６は上端部分１０４と係合することができる。上端部分１０４はリッジ（隆起部）２０５を有していてもよい。リッジ２０５は、キャップ１０６が閉じた位置を維持するように、リブ２９８と係合することができる。この係合は、キャップが閉じた位置にあることの可聴表示も提供することができる。突出部２９９はバルブ１４６に向かって下方に延びている。突出部２９９は、バルブ１４６の外向きの撓みを制限することができ、開口部１４８が開かないようにすることができる。したがって、キャップ１０６が閉じた位置にあるとき、突出部２９９は、製品がバルブ１４６から出ることを防止することができる。
【００４０】
[0070]容器は特定の量の製品を保持するように設計され得る。第１の実施形態において、容器は２ｍｌ以上、１００ｍｌ以下を入れることができる。第２の実施形態において、容器は２ｍｌ以上、５０ｍｌ以下を入れることができる。第３の実施形態において、容器は２ｍｌ以上、３６ｍｌ以下を入れることができる。第４の実施形態において、容器は２ｍｌ以上、２４ｍｌ以下を入れることができる。第５の実施形態において、容器は２ｍｌ以上、１２ｍｌ以下を入れることができる。第６の実施形態において、容器は２ｍｌ以上、８ｍｌ以下を入れることができる。第７の実施形態において、容器は２ｍｌ以上、４ｍｌ以下を入れることができる。
【００４１】
[0071]他の実施形態において、本体部分は上端部分に取り付けられてもよい。一実施形態において、図１９を参照すると、本体部分３０２は、超音波溶接などの融着によって上端部分３０４に取り付けられている。その他の実施形態において、本体部分は、接着剤または熱によって上端部分に取り付けられてもよい。一実施形態において、上端部分３０４はキャップ部分３０６を含み得る。キャップ部分３０６はヒンジ３０８によって取り付けられてもよい。ヒンジ３０８は、本明細書に記載されたヒンジの１つであってもよい。
【００４２】
[0072]図２０を参照すると、容器の他の実施形態が示されている。この容器４００は、本体部分４０２と、上端部分４０４と、プラグシール４０５とを含んでいる。一実施形態において、容器４００は、キャップ部分４０６と、ベース部分４０７と、ヒンジ部分４０８とを含んでいる。ヒンジ部分４０８は、本明細書に記載されたヒンジの１つであってもよい。本実施形態において、ベース部分４０７はねじ部によって上端部分４０４に取り付けられる。本実施形態において、本体部分４０２はチューブであってもよく、下端部分４１４は、本明細書に記載されているように閉鎖される。
【００４３】
[0073]図２１を参照すると、キャップ部分４０６と、ベース部分４０７と、ヒンジ部分４０８とが示されている。ベース部分４０７はねじ部４０９を含み得る。ねじ部４０９は、上端部分４０４のねじ部４１１と係合することができる。ベース部分４０７に挿入されたプラグシール４０５も示されている。
【００４４】
[0074]図２２〜図２４を参照すると、プラグシール４０５が示されている。プラグシール４０５は、バルブ４６０と保持リング４６２とを含んでいる。バルブ４６０は、保持リング４６２上に成形されてもよい。バルブ４６０は、前に述べたバルブ１６０用の材料で製造されてもよい。保持リング４６２は、前に述べた保持リング１６２用の材料で製造されてもよい。
【００４５】
[0075]図２４を参照すると、バルブ４６０は、外側部分４６６と、中間部分４６８と、内側部分４７０とを含んでいる。中間部分４６８および内側部分４７０は、中間部分１６８および内側部分１７０と同一であってもよい。さらに、中間部分４６８および内側部分４７０は、中間部分１６８および内側部分１７０と同じ態様で動作し得る。保持リング４６２は、下方に延びる環状壁４７２を含み得る。環状壁４７２は、容器の内部と係合する。一実施形態において、環状壁４７２は容器と密閉的に係合する。例えば、環状壁４７２は上端部分４０４と密閉的に係合する。
【００４６】
[0076]図２５を参照すると、容器の他の実施形態が示されている。容器５００が閉鎖された下端部分５１４を有するボトルである点を除けば、容器５００は容器４００と同じである。
【００４７】
[0077]図２６を参照すると、容器の他の実施形態が示されている。容器６００が異なる形状の本体部分を有する点を除けば、容器６００は容器５００と同じである。容器６００は閉鎖された下端部分６１４を有するボトルであってもよく、または、容器６００は閉鎖された下端部分６１４を有するチューブであってもよい。
【００４８】
[0078]図２７を参照すると、容器の他の実施形態が示されている。容器７００がベース部分７０７を上端部分７０４に接続するためのスナップ式取付け具を有する点を除けば、容器７００は容器４００と同じである。上端部分７０４は、ベース部分７０７上の１つまたは複数の突起部７１３と係合する、１つまたは複数の突起部７１１を含む。
【００４９】
[0079]図２８を参照すると、キャップ部分７０６と、ベース部分７０７と、ヒンジ部分７０８とが示されている。ベース部分７０７は、１つまたは複数の突起部７１３を含む。ベース部分７０７に挿入されたプラグシール７０５も示されている。
【００５０】
[0080]図２９を参照すると、容器の他の実施形態が示されている。容器８００が閉鎖された下端部分８１４を有するボトルである点を除けば、容器８００は容器７００と同じである。
【００５１】
[0081]図３０を参照すると、容器の他の実施形態が示されている。容器９００がシール９０６を有する点を除けば、容器９００は容器４００と同じである。そのシールはプラスチックシール、ホイル（金属箔）シール、紙で裏当てしたプラスチックシール、紙で裏当てしたホイルシール、または他のタイプのシールであってもよい。
【００５２】
[0082]図３１を参照すると、容器の他の実施形態が示されている。容器１０００が閉鎖された下端部分１０１４を有するボトルである点を除けば、容器１０００は容器９００と同じである。
【００５３】
[0083]本願は、２０１３年３月１５日提出の米国意匠出願第２９／４５０，１１６号（Leydig事務所整理番号７１２２８８）に参照によりその全体が組み込まれる。
【００５４】
[0084]本明細書で引用した刊行物、特許出願、および特許を含む全ての参考文献は、各文献が個々にかつ具体的に参照により組み込まれることが示され、その全体が本明細書に記載されたかのように、本明細書と同程度に、参照により組み込まれる。
【００５５】
[0085]本発明（特に以下の特許請求の範囲の文脈において）を説明する文脈における用語「ａ」、「ａｎ」、「ｔｈｅ」、「ａｔ  ｌｅａｓｔ  ｏｎｅ：少なくとも１つ」、および類似の指示対象語を使用することは、本明細書に別段の指示がない限り、または明らかに文脈と矛盾していない限り、単数形と複数形との両方に対応すると解釈されるべきものである。１つまたは複数の項目の列挙（例えば、「ａｔ  ｌｅａｓｔ  ｏｎｅ  ｏｆ  Ａ  ａｎｄ  Ｂ：ＡおよびＢの少なくとも１つ」）が後に続く「ａｔ  ｌｅａｓｔ  ｏｎｅ：少なくとも１つ」という用語の使用は、本明細書に別段の指示がない限り、または明らかに文脈と矛盾していない限り、列挙された項目（Ａ  ｏｒ  Ｂ：ＡまたはＢ）から選択される１つの項目を意味する、または２つ以上の列挙された項目の任意の組み合わせ（Ａ  ａｎｄ  Ｂ：ＡおよびＢ）を意味すると解釈されるべきものである。用語「ｃｏｍｐｒｉｓｉｎｇ：包含する」、「ｈａｖｉｎｇ：有する」、「ｉｎｃｌｕｄｉｎｇ：含む」、および「ｃｏｎｔａｉｎｉｎｇ：含有する」は、特に断りのない限り、オープンエンドの用語として解釈されるべきものである（すなわち、「含むことではあるが、それに限定されない」という意味）。本明細書の値の範囲の列挙は、本明細書に別段の指示がない限り、単に、その範囲内に入るそれぞれ別個の値を個々に参照する簡略的な方法として役立つように意図され、それぞれ別個の値は、それが個々に本明細書に記載されているかのように、本明細書に組み込まれる。本明細書に記載されたすべての方法は、本明細書に別段の指示がない限り、または明らかに文脈と矛盾していない限り、任意の適切な順序で行うことができる。本明細書に提供されているありとあらゆる例、または例示的な言葉（例えば、「ｓｕｃｈ  ａｓ：など」）の使用は、単に、本発明をより明らかにすることを意図しており、別段の請求がない限り、本発明の範囲を限定するものではない。本明細書の言葉はいずれも、請求されていない要素を、本発明を実施するために必要不可欠であると示されることはないと解釈されるべきものである。
【００５６】
[0086]本発明の好ましい実施形態は、発明を実施するために発明者らが知る最良の形態を含めて、本明細書に記載されている。これらの好ましい実施形態の変化形態は、前述の説明を読めば当業者には明らかになるであろう。本発明者らは、当業者が適宜そのような変化形態を採用することを予期し、かつ、本発明者らは、本発明が本明細書に詳細に記載した以外の態様で実施されることも意図している。したがって、本発明は、適用法によって認められるように、本明細書に添付の特許請求の範囲に記載された主題のすべての修正およびそれに相当する態様を含む。さらに、本明細書に別段の指示がない限り、または明らかに文脈と矛盾していない限り、すべての可能な変化形態における上記の要素のいかなる組み合わせも、本発明に包含される。
【図１】
2016515985.tif 000003
【図２】
2016515985.tif 000004
【図３】
2016515985.tif 000005
【図４】
2016515985.tif 000006
【図５】
2016515985.tif 000007
【図６】
2016515985.tif 000008
【図７】
2016515985.tif 000009
【図８】
2016515985.tif 000010
【図９】
2016515985.tif 000011
【図１０】
2016515985.tif 000012
【図１１】
2016515985.tif 000013
【図１２】
2016515985.tif 000014
【図１３】
2016515985.tif 000015
【図１４】
2016515985.tif 000016
【図１５】
2016515985.tif 000017
【図１６】
2016515985.tif 000018
【図１７】
2016515985.tif 000019
【図１８】
2016515985.tif 000020
【図１９】
2016515985.tif 000021
【図２０】
2016515985.tif 000022
【図２１】
2016515985.tif 000023
【図２２】
2016515985.tif 000024
【図２３】
2016515985.tif 000025
【図２４】
2016515985.tif 000026
【図２５】
2016515985.tif 000027
【図２６】
2016515985.tif 000028
【図２７】
2016515985.tif 000029
【図２８】
2016515985.tif 000030
【図２９】
2016515985.tif 000031
【図３０】
2016515985.tif 000032
【図３１】
2016515985.tif 000033
【国際調査報告】
2016515985.tif 000034
2016515985.tif 000035
2016515985.tif 000036